(57)【要約】【課題】変圧器を内蔵し、工事用電力分電盤からの電力を変圧できるようにすると共に、工事用電力分電盤からの電力を変圧器で変圧された電力と工事用電力分電盤からの直接の電力とを切替スイッチで切替ることにより選択的に供給できるようにする。【解決手段】ドラム装置２０は中心体２２および工事用電力分電盤５０からの電力を供給するコード２８が周囲に収納されているドラム本体２１とよりなり、工事用電力分電盤５０からの電力を切替カバー３５にて切替られる切替スイッチ３７にてドラム装置２０に内蔵された変圧器２１を介して第１のコンセント３２、３２、３２に供給するか、または工事用電力分電盤５０からの電力を直接第２のコンセント３３、３３、３３に供給するかを選択出来るようにする。【選択図】  図３
2007165216.tif 000002
【特許請求の範囲】
【請求項１】
基盤に設けられた中心体および回転自在に設けられ電力供給源からの電力を供給するコードが周囲に収納されているドラム本体とよりなるドラム装置と、
電力供給源からの電力を切替える切替スイッチと、
前記切替スイッチに接続され、前記電力の電圧を変圧するため前記ドラム装置に内蔵された変圧器と、
前記変圧器に並列接続され、該変圧器で変圧された電力が供給される前記ドラム装置に取付けられた多数の第１のコンセントと、
前記切替スイッチに直接並列接続され、前記電力供給源からの電力が直接供給される前記第１のコンセントと共に前記ドラム装置に取付けられた多数の第２のコンセントとよりなることを特徴とする変圧器内蔵型電工ドラム。
【請求項２】
前記電力供給源は工事用電力分電盤であることを特徴とする請求項１記載の変圧器内蔵型電工ドラム。
【請求項３】
前記ドラム装置に取り付けられ第１のコンセントまたは第２のコンセントのいずれか一方をカバーし、いずれか一方を露出させる切替カバーと、
前記切替カバーにて前記切替スイッチを切替え、切替スイッチに切替られた第１のコンセントまたは第２のコンセントのいずれか一方を露出するようにしたことを特徴とする請求項１記載の変圧器内蔵型電工ドラム。
【請求項４】
前記電力供給源から供給される電力の電圧は２００ボルトで、前記変圧器で変圧される電力の変圧電圧は１００ボルトであることを特徴とする請求項１記載の変圧器内蔵型電工ドラム。
【請求項５】
前記切替スイッチは切替カバーを外し降圧された１００ボルトの電力が供給される第１のコンセントが露出されたとき、変圧器側に切替わるようにしたことを特徴とする請求項１記載の変圧器内蔵型電工ドラム。
【発明の詳細な説明】
【技術分野】
【０００１】
本発明は工事用電力分電盤から工事の際に使用されるグライダー、送風機、照明器具等の電力器具に電力を供給するに用いられる変圧器内蔵型電工ドラムに関する。
【背景技術】
【０００２】
工事を行うときにグライダー、送風機、照明器具等の電力器具を使用する。これらグライダー、送風機、照明器具等の電力器具に工事用電力分電盤から電力を供給する必要がある。しかし、工事用電力分電盤は工事現場から離れていることが多いので、これら電力器具に電力を供給するには周囲に長いコードが収納され、且つ多数のコンセントが設けられた電工ドラムが用いられている。
【０００３】
図１０に示すように、従来の電工ドラムには基台１に中心部材２が取付け、その中心部材２にある軸３にドラム本体４が回転自在に設けられている。ドラム本体４には工事用電力分電盤に接続されるコード５が外周に収納されており、中心部材２にはコード５に接続されたコンセント６、７、８が設けられている。
【０００４】
遠く離れた工事用電力分電盤にコード５の先端のプラグ９、９およびアース端子１０を接続し、電工ドラムに電力を供給し、電工ドラムのコンセント６、７、８にグライダー、送風機、照明器具等の電力器具のプラグを挿入することにより、グライダー、送風機、照明器具等の各電力器具に電力が供給されるようにしている。
【０００５】
従来の電工ドラムは前述のようにして工事用電力分電盤から各電力器具に１００Ｖの電力が供給されるようにしている。しかし使用される電力器具が増加すると供給される電力の電圧が降下し、グライダーあるいは送風機の回転数の低下を来たしたり、照明器具の照明が消え作業に影響を与える。そのため工事用電力分電盤から２００Ｖの電圧を変圧器で変圧して系統を増加して対応している。
【０００６】
また、グライダーあるいは送風機等が２００Ｖの電力で動作する場合には、別の電工ドラムを用意していた。
【特許文献１】該当なし
【発明の開示】
【発明が解決しようとする課題】
【０００７】
前述したように、工事用電力分電盤から各電力器具に１００Ｖの電圧が供給されるようにしているが、使用される電力器具が増加すると供給される電力の電圧が降下するため電力器具の動作が低下し、作業に影響を与える。そのため工事用電力分電盤から２００Ｖの電圧を変圧器で変圧して系統を増加して対応しているが、別に変圧器を必要とするために、変圧器のリース費用や設置費用が増加する。
【０００８】
また、工事する場所によっては２００Ｖの電力器具を使用することがあるので、そのための別に２００Ｖ用の電工ドラムを設置する必要がある。
【課題を解決するための手段】
【０００９】
本発明は変圧器を内蔵し、電力供給源からの電力を変圧できるようにし、別に変圧器を不要にすると共に、変圧された電力と電力供給源からの直接の電力とを切替スイッチで切替ることにより選択的に供給できるようにするものであり、
基盤に設けられた中心体および回転自在に設けられ、電力供給源からの電力を供給するコードが周囲に収納されているドラム本体とよりなるドラム装置と、電力供給源からの電力を切替える切替スイッチと、前記切替スイッチに接続され、前記電力の電圧を変圧するため前記ドラム装置に内蔵された変圧器と、前記変圧器に並列接続され、該変圧器で変圧された電力が供給される前記ドラム装置に取付けられた多数の第１のコンセントと、前記切替スイッチに並列接続され、前記電力供給源からの電力が直接供給される前記第１のコンセントと共に、前記ドラム装置に取付けられた多数の第２のコンセントよりなる変圧器内蔵型電工ドラムを提供する。
【００１０】
本発明は切替スイッチの切替を間違え無く行えるようにするため、前記ドラム装置に第１のコンセントまたは第２のコンセントのいずれか一方をカバーし、いずれか一方を露出させる切替カバーと、前記切替カバーにて前記切替スイッチを切替え、切替スイッチに切替られた第１のコンセントまたは第２のコンセントのいずれかを露出するようにした変圧器内蔵型電工ドラムを提供する。
【００１１】
本発明は切替スイッチが切替カバーを外し降圧された１００ボルトの電力が供給される第１のコンセントが露出されたとき、変圧器側に切替わるようにした変圧器内蔵型電工ドラムを提供する。
【発明の効果】
【００１２】
本発明の変圧器内蔵型電工ドラムは電力供給源からの電力を供給するコードが周囲に収納されたドラム本体に変圧器を内蔵したので、電力供給源から供給される２００Ｖの電力を１００Ｖの電圧に降圧できる。従って、電力供給源から供給される電力の電圧を降下させるための変圧器を別に設置する必要がないので、変圧器のリース費用あるいは設置費用が節約できる。
【００１３】
また、ドラム本体に変圧器で変圧された電力を供給する第１のコンセントと、工事用電力分電盤から供給された電力の電圧を直接供給する第２のコンセントとを設け、切替スイッチで切替えるようにしたので、１つの電工ドラムで１００Ｖと２００Ｖとの電力の供給を選択的できる。
【００１４】
しかも第１のコンセントまたは第２のコンセントを露出させる切替カバーに連動して切替スイッチを切替えるようにしたので、第１のコンセントまたは第２のコンセントに適切な電圧の電力が供給される。
【００１５】
更に、切替スイッチは切替カバーを回転させ第１のコンセントが露出されたとき、変圧器側に切替わるようにしたので、必ず第1のコンセントには変圧器で降圧された１００Ｖの電力が供給される。従って、第1のコンセントに誤って２００Ｖの電力が供給され、電力器具を破損することはない。
【発明を実施するための最良の形態】
【００１６】
図１から図９は本発明の変圧器内蔵型電工ドラムである。
【００１７】
図１、図２は本発明の変圧器内蔵型電工ドラムの一使用例を示す斜視図である。ドラム装置２０はドラム本体２１と中心体２２とよりなる。中心体２２は基盤２４に支持部材２５で固定されると共に軸２６にてドラム本体２１を回転自在に取付けている。
【００１８】
図３に示すように、ドラム本体２１には遠く離れた工事用電力分電盤に接続出来るように外周に長いコード２８が卷回し収納にされている。コード２８の先端は後述する工事用電力分電盤に接続されるプラグ２９、２９とアース端子３０が設けられている。
【００１９】
図４に示すように中心体には２００Ｖの電力を１００Ｖの電力に降圧する変圧器３１が取付けられている。
【００２０】
図５に示すように、中心体２２には変圧器３１で変圧された１００Ｖの電力が供給される複数の第１のコンセント３２、３２、３２と工事用電力分電盤からの２００Ｖの電力が直接に供給される複数の第２のコンセント３３、３３、３３が設けられている。中心体２２の表面には第１のコンセント３２、３２、３２または第２のコンセント３３、３３、３３のいずれか一方を露出させるための切換カバー３５で、軸２６を中心として回転されカバーロックネジ３６、３６で固定されている。
【００２１】
さらに、中心体２２には工事用電力分電盤からの２００Ｖの電力を変圧器３１に供給するか、または第２のコンセント３３、３３、３３に直接供給するかを選択するための切替スイッチ３７が取付けられている。
【００２２】
図７および図８に示すように、切替スイッチ３７は端子部３８、３８が固定された可動接片３９、３９と変圧器３１に接続される第１の固定接片４１、４１と第２のコンセントに接続される第２の固定接片４２、４２と、中心体２２に取付けられた筒４３に滑動自在に取付けられ、バネ４５の付勢に抗して可動接片３９、３９を押圧する押圧棒４６を有する。
【００２３】
図９は本発明の変圧器内蔵型電工ドラムの回路図で、ドラム装置２０のドラム本体２１に巻かれたコード２８の先端には前述したように、工事用電力分電盤５０の端子５１、５１に結合されるプラグ２９、２９が設けられている。
【００２４】
コード２８のプラグ２９、２９が設けられていると反対側の末端は切替スイッチ３７の可動接片３９、３９の端子部３８、３８に接続されている。また第1の固定接片４１、４１は変圧器３１の１次側に接続され、変圧器３１の2次側は第１のコンセント３２、３２、３２に接続されている。第２の固定接片４２、４２は第２のコンセント３３、３３、３３に接続されている。
【００２５】
次に、本発明の変圧器内蔵型電工ドラムの使用方法を説明する。
【００２６】
工事を行うためグライダー、送風機、照明器具等の電力器具を動作させるため、工事用電力分電盤５０からグライダー、送風機、照明器具等の電力器具に電力を供給する必要がある。
【００２７】
斯かる場合に工事用電力分電盤５０から工事現場まで離れているときに、工事現場に置かれたドラム装置２０の握手５４をもってドラム本体２１を回転させて、ドラム本体２１の外周に収納されているコード２８を解く。解かれたコード２８の先端をもって工事用電力分電盤５０のところまで持って行き、コード２８の先端にあるプラグ２９、２９をアース端子３０と共に工事用電力分電盤５０の端子５１、５１に挿入する。プラグ２９、２９は先端に丸孔が開けられているので、その丸孔にビスを挿入して確実に止めている。
【００２８】
図１に示すように、グライダーあるいは送風機が１００Ｖの電力で動作される場合は切換カバー３５をドラム装置２０の中心体２２の右半分を覆い、第１のコンセント３２、３２、３２を露出させる。このとき第１のコンセント３２、３２、３２の上側には１００Ｖの表示がされている。
【００２９】
図７に示すように、このとき押圧棒４６は切換カバー３５に邪魔されることがないので、バネ４７で矢印方向に付勢され中心体２２の外方に突出されている。従って結合板５５で結合された可動接片３９、３９は共にバネ４５の付勢力で引っ張られ、可動接片３９、３９は第１の固定接片４１、４１側に切替えられる。それにより工事用電力分電盤５０からの２００Ｖの電力はコード２８を通り、切替スイッチ３７の第１の固定接片４１、４１に供給される。固定接片４１、４１に加えられた２００Ｖの電力は変圧器３１で１００Ｖに降圧され、第１のコンセント３２、３２、３２に供給される。グライダーあるいは送風機等のプラグを第１のコンセント３２、３２に挿入すれば、１００Ｖの電力が供給され動作される。
【００３０】
次に、図２に示すように、グライダーあるいは送風機が２００Ｖの電力で動作される場合は、カバーロックネジ３６を外し、切換カバー３５を軸２６を中心として回転させる。そして切替カバー３５をドラム装置２０の中心体２２の左半分を覆うようにしてネジ止めし、第２のコンセント３３、３３、３３を露出させる。このとき第２のコンセント３３、３３、３３の上側には２００Ｖの表示がされている。
【００３１】
図８に示すように、押圧棒４６は切換カバー３５にて反矢印方向に押し込められる。それにより可動接片３９、３９はバネ４５の付勢力に抗して押圧棒４６で押され、第２の固定接片４２、４２側に切替る。工事用電力分電盤５０からの２００Ｖの電力はコード２８を通り、直接切替スイッチ３７の第２の固定接片４２、４２に供給される。固定接片４２、４２に加えられた２００Ｖの電力は第２のコンセント３３、３３、３３に供給される。グライダーあるいは送風機等のプラグを第２のコンセント３３、３３に挿入すれば、２００Ｖの電力が供給され動作される。
【図面の簡単な説明】
【００３２】
【図１】本発明の変圧器内蔵型電工ドラムの一使用例を示す斜視図である。
【図２】本発明の変圧器内蔵型電工ドラムの他の使用例を示す斜視図である。
【図３】本発明の変圧器内蔵型電工ドラムの一使用例を示す斜視図である。
【図４】本発明の変圧器内蔵型電工ドラムの他の使用例を示す一部省略した斜視図である。
【図５】本発明の変圧器内蔵型電工ドラムの中心体部分の正面図である。
【図６】本発明の変圧器内蔵型電工ドラムの中心体部分の断面図である。
【図７】本発明の変圧器内蔵型電工ドラムに使用した切替スイッチの一動作例を示す模型図である。
【図８】本発明の変圧器内蔵型電工ドラムに使用した切替スイッチの他動作例を示す模型図である。
【図９】本発明の変圧器内蔵型電工ドラムの回路図である。
【図１０】従来の電工ドラムの斜視図である。
【符号の説明】
【００３３】
２０        ドラム装置
２１        ドラム本体
２２        中心体
２８        コード
３１        変圧器
３２        第１のコンセント
３３        第２のコンセント
３５        切替カバー
３７        切替スイッチ
５０        工事用電力分電盤
【図１】
2007165216.tif 000003
【図２】
2007165216.tif 000004
【図３】
2007165216.tif 000005
【図４】
2007165216.tif 000006
【図５】
2007165216.tif 000007
【図６】
2007165216.tif 000008
【図７】
2007165216.tif 000009
【図８】
2007165216.tif 000010
【図９】
2007165216.tif 000011
【図１０】
2007165216.tif 000012